(57)【要約】      （修正有）【課題】海や山などの野外のレジャー環境下でもクレジットカードなどのカードを腕時計用ベルトなどに簡単な構造で装着することができ、確実性と安全性に優れたカードホルダを提供する。【解決手段】リストバンド１１に装着されるカードホルダ１０であって、カード１４を着脱保持する略矩形状のホルダ本体１２の表裏面側にはそれぞれカード１４を固定保持するカード固定部１５と、リストバンド１１に係止されるバンド係止部１３とを有する。【選択図】図２
0003136888.tif 000002
【実用新案登録請求の範囲】
【請求項１】
リストバンドに装着されるカードホルダであって、カードを着脱保持する略矩形状のホルダ本体の表裏面側にはそれぞれ前記カードを固定保持するカード固定部と、前記リストバンドに係止されるバンド係止部とを有していることを特徴とするカードホルダ。
【請求項２】
前記リストバンドが時計を備えた腕時計用ベルトであって、前記リストバンドに装着される前記ホルダ本体が前記カードを密閉収納する箱型状の防水構造を有していることを特徴とする請求項１記載のカードホルダ。
【請求項３】
前記カードがＩＣタグを備えた情報カードであって、前記ホルダ本体には前記ＩＣタグの情報データを読み取って、この情報データを電波信号として特定方向に増幅発信するデータ発信部が設けられていることを特徴とする請求項１又は２記載のカードホルダ。
【考案の詳細な説明】
【技術分野】
【０００１】
本考案は腕時計用ベルトなどのリストバンドに装着して用いられるカードホルダに関し、特に非接触型の書き換え可能なＩＣタグを有したＩＣカードやクレジットカードなどを安全に保持することができるリストバンド用のカードホルダに関する。
【背景技術】
【０００２】
近年、情報化社会の進展に伴って金融システムにおけるクレジットカードや、交通システムにおける定期券カード、切符カード、遊技施設などにおけるＩＤカードなどが普及し、その利用機会が多くなっている。そのため、カード利用者がこれらのカードを常時身につけてその利便性を向上させたり、海や山などの野外環境下においても紛失することなく保持したりすることが必要となっている。これらのカードの保持方法や利用方法などに関連して例えば以下のような技術のものが知られている。
【０００３】
特許文献１（特開２００５−８２９５３号公報）には、リストバンドにポケットを設けて定期券カードを入れられるようにして、改札機を通過する時はリストバンドを改札機に触れただけで改札の出入りができるようにした定期券入れが提案されている。
また、特許文献２（特開２００１−２５８６１６号公報）には、ＩＣ記憶媒体を収納するための媒体収納部と、装着すべき身体部分の太さに応じて任意の径の環を形成することができる帯状のバンド部と、前記環を形成した状態にバンド部を保持するバンドロック部を備えた構成のＩＣ記憶媒体用リストバンドが記載されている。
さらに、特許文献３（特開２００４−３４４５６５号公報）には、手首に着脱可能な伸縮性を有するリストバンド本体の表面側に設けられ携帯電話、たばこ、財布、薄型デジタルカメラ、及びその他の小物からなる収納物を入れることが可能で、その出入口には収納物の落下を防止する閉塞機構が設けられた袋状の収納体を有した小物収納用リストバンドが記載されている。
【特許文献１】特開２００５−８２９５３号公報
【特許文献２】特開２００１−２５８６１６号公報
【特許文献３】特開２００４−３４４５６５号公報
【考案の開示】
【考案が解決しようとする課題】
【０００４】
しかしながら前記従来のリストバンドでは、海や山などの環境下でも薄く小型のカードを確実かつ安全に保持するような簡単な構造を備えていないために、その使い勝手が悪く利便性に欠けるという課題があった。
特に、特許文献１〜３に記載のものでは、薄手のカードを確実に固定して保持するような係止機構や、防水機構を備えていないために、リストバンド利用者の動きが激しいレジャーなどの過酷な条件では安全性に問題があった。
また、特許文献１のものでは、情報カードとなる定期券に保持された情報データを読み取るためには、この情報カードの装着されたリストバンドを改札機の読取装置がＩＣタグと通信可能な近距離に位置付けることが必要で、この通信可能距離の制約から遊園地やスーパーマーケットなどでは迅速なデータ処理が妨げられることがあった。
【０００５】
本考案は前記従来の課題を解決するためになされたもので、海や山などのレジャー環境下でも情報カードを腕時計用ベルトなどに簡単な構造で装着することができ、確実性と安全性に優れたカードホルダを提供する。また、ＩＣタグを備えた情報カードにおける読取装置との通信可能距離や指向性を高めて使い勝手に優れたカードホルダを提供することも目的とする。
【課題を解決するための手段】
【０００６】
（１）前記課題を解決するためになされた本考案のカードホルダは、リストバンドに装着されるカードホルダであって、カードを着脱保持する略矩形状のホルダ本体の表裏面側にはそれぞれ前記カードを固定保持するカード固定部と、前記リストバンドに係止されるバンド係止部とを有して構成される。
【０００７】
（２）本考案のカードホルダは前記（１）において、前記リストバンドが時計を備えた腕時計用ベルトであって、前記リストバンドに装着される前記ホルダ本体が前記カードを密閉収納する箱型状の防水構造を有していることにも特徴を有している。
【０００８】
（３）本考案のカードホルダは前記（１）又は（２）において、前記カードがＩＣタグを備えた情報カードであって、前記ホルダ本体には前記ＩＣタグの情報データを読み取って、この情報データを電波信号として特定方向に増幅発信するデータ発信部が設けられていることにも特徴を有している。
【考案の効果】
【０００９】
本考案は、カードを着脱保持する略矩形状のホルダ本体の表裏面側にはそれぞれ前記カードを固定保持するカード固定部と、前記リストバンドに係止されるバンド係止部とを有するので、海や山などのレジャー環境下でも情報カードを腕時計用ベルトなどのリストバンドに簡単に装着することができ、確実性と安全性に優れたカードホルダとすることができる。
【考案を実施するための最良の形態】
【００１０】
本考案の実施形態に係るカードホルダは、腕時計用ベルトなどのリストバンドに装着される略矩形状に形成されたカードホルダであって、カードを着脱保持するホルダ本体の表裏面側にはそれぞれ前記カードを固定保持するカード固定部と、前記リストバンドに係止されるバンド係止部とを有している。これによって、レジャーなどの野外の環境下でもクレジットカードや、ＩＣカード、テレフォンカード、ＩＤカードなどの情報カードを腕時計用ベルトなどのリストバンドに簡単に装着することができ、その使い勝手とともに確実性と安全性に優れたカードホルダとすることができる。
【００１１】
ホルダ本体は、例えばポリスチレン樹脂などのプラスチック材や、スチール又はアルミなどの金属材又はこれらの複合材などを素材として全体が略矩形板状に形成され、腕時計用ベルトなどのリストバンドに着脱自在又は固定して装着されるようになっている。
【００１２】
カード固定部はホルダ本体の表面側に設けられ、例えば、薄肉板状のカードがその一方の短辺側又は長辺側の対向する両側端をスライドして所定位置で挿入固定されるようになっている。なお、カード固定部としては、全体を箱型のケース状に形成して、上蓋をヒンジを介して開閉自在に取り付けて内部に複数枚のカードを積層状に収納できるようにしたり、二つ折り状にしたパネル面の間にカードの表裏面を挟みつけるようにして保持したりした形態のものとすることも可能である。
【００１３】
バンド係止部は、腕時計用ベルトなどのリストバンドにホルダ本体を係止させるためのものであって、帯状のリストバンドをその貫通孔に通して保持させる形態のものや、ホルダ本体の底部に設けた金属爪部をリストバンドの両端に折り曲げるようにかけて係止させるものなどが適用できる。
【００１４】
本考案の実施形態に係るカードホルダは、前記リストバンドが時計を備えた腕時計用ベルトであって、前記リストバンドに装着される前記ホルダ本体が前記カードを密閉収納する箱型状の防水構造を有するように構成することができる。これによって、風雨や海水などに晒されるているホルダ本体を保護することができるので、カード利用者はその時計機能を使いながらカードを保持したままでレジャーなどを快適に楽しむことができるとともに、カードをカードホルダから取り出していつでも利用することができる。
防水構造としては、例えば、箱状に形成されたホルダ本体を開閉する蓋の周囲にゴム状パッキンを配置したり、ポリエチレン製などの防水フィルムで被覆されたカード本体を収納できるスペースをホルダ本体のカード収納部に設けたりすることで実現することができる。
【００１５】
本考案の実施形態に係るカードホルダは、前記カードがＩＣタグを備えた情報カードであって、前記ホルダ本体には前記ＩＣタグの情報データを読み取って、この情報データを電波信号として特定方向に増幅発信するデータ発信部が設けられている。これによって、カードに実装されたＩＣタグのみではその通信可能距離が短く制限されて使い勝手が悪かったクレジットカードやＩＤカードなどの情報カードにおける通信可能範囲を広く設定することができる。従って、離れた場所からの情報カードのデータ取得ができ、その有効利用が可能となる。例えばガソリンスタンドなどでカード利用者が車内にいたままで、クレジットカードでの支払いなどが可能となりその利便性が高められる。
【００１６】
データ発信部は、例えば、情報カードのＩＣタグから情報データを直接読み取る読取器と、読み取った情報データの電気信号を増幅する増幅制御器と、この電気信号を特定方向に発信するための指向性アンテナと、これらの駆動用電源（電池）などとを備えて構成されたＩＣチップからなる電子装置である。なお、駆動用電源は腕時計を駆動させる太陽電池などと共用することも可能である。
【００１７】
さらにカードホルダは、前記カードが液晶表示部を有した情報カードであって、前記リストバンドに前記カードホルダとともに装着された時計や携帯電話機に保持する情報データを前記液晶表示部に表示させる情報転送部を備えることができる。これによって、時計や携帯電話機に保持する時刻データなどのデータをカードの液晶表示部上にいつでも大きく表示させることができ、その利用可能性をさらに広げることができる。情報転送部は、時計や携帯電話機に保持された情報データを取得して、この情報データを液晶表示部に表示させるためのＩＣチップなどで構成された電子装置であり、オンオフスイッチを有した駆動用電源を備えており、前記カードの液晶表示部上に表示させる情報データをいつでも必要なときに明瞭に表示させることができる。
【００１８】
（実施例１）
以下図面を参照しながら本実施例のカードホルダについてさらに具体的に説明する。図１は実施例１に係るカードホルダが装着されたリストバンドの全体斜視図であり、図２はその側断面図であり、図３はその平面図である。
図１〜図３に示すように、実施例１のカードホルダ１０は、金属帯や布帯などのリストバンド１１にそのプラスチック素材からなるホルダ本体１２のバンド係止部１３が貫通するように装着され、薄肉小型のクレジットカード１４がホルダ本体１２の側端側からそのカード固定部１５にスライドして挿入される。
【００１９】
ホルダ本体１２は全体が略矩形板状に形成されたプラスチック製のケースであり、その表側に略コの字状に開口して形成されたカード固定部１５と、その裏側に矩形状開口断面を有してリストバンド１１が挿入されるバンド係止部１３とを有している。クレジットカード１４がスライドして挿入されるカード固定部１５の両側端１５ｂ、１５ｃは断面コの字状のカード挿入溝１５ｍ，１５ｎが対向して配置され、クレジットカード１４端部がこの溝間に挟みつけられるようにしてスライド収納できるようになっている。なお、図２に示すようにクレジットカード１４の収納状態において、クレジットカード１４の側端を締めつけて固定するためのカード係止ねじ１６をホルダ本体１２の側端に設けることができ、これによって、クレジットカード１４を安定的に保持させるようにしている。
【００２０】
次に、本実施例１に係るカードホルダの変容例１〜３について図４〜６を参照しながら説明する。
変容例１のホルダ本体１２ａは、図４に示すように、下方のバンド係止部１３ａがアルミなどの舌片状であり、カードホルダ１０をリストバンド１１に取り付けるときには、この舌片状の先端を既存のリストバンド１１の裏側面に折り曲げることで係止させている。これによって、ホルダ本体１２ａを有するカードホルダを簡単に既存のリストバンドに装着することができる。
【００２１】
変容例２のホルダ本体１２ｂは、図５に示すように、クレジットカード１４ｂの両端部がスライドして挿入されるカード固定部１５ｂのカード挿入溝１５ｍ、１５ｎが、このクレジットカード１４ｂに合わせて鋭角状の断面を有するように形成されている。これによって、クレジットカード１４ｂとカード固定部１５ｂとの接触面積を大きくして、クレジットカード１４ｂがカード固定部１５ｂから容易に脱落することがないようにしている。
【００２２】
変容例３のホルダ本体１２ｃは、図６に示すように、そのカード固定部１５ｃの対向する一方のカード挿入溝１５ｍが断面鋭角状に形成されているとともに、対向する他方のカード挿入溝１５ｎにクレジットカード１４ｃの装着をさらに確実にするためのカード係止ねじ１６を備えるように形成されている。これによって、ホルダ本体１２ｃに装着されるクレジットカード１４ｃをさらに確実に保持させるようにしている。
【００２３】
（実施例２）
図７は本考案の実施例２に係るカードホルダが装着される腕時計バンドの斜視図であり、図８は同カードホルダの使用状態の説明図である。
実施例２のカードホルダ２０は、図７及び図８に示すように、時計部２１とともに腕時計用ベルト２２に設けられたカードケースであり、開閉蓋２３を有してＩＣ情報カード（カード）２４を内部に固定収納するためのカード固定部２５と、実施例１と同様の形態を有してリストバンド２２に係止されるバンド係止部（図示しないが）とを備えている。
このカードホルダ２０は、開閉蓋２３の周縁にオーリングなどのパッキンが配置され、ＩＣ情報カード２４を収納する収納部が密閉される防水構造を有している。このため、プールや海浜などのレジャー環境においてカードホルダ２０に保持したＩＣ情報カード２４などのカードを濡らすことなく保護することができるようになっている。
【００２４】
なお、カードホルダ２０は、そのＩＣ情報カード２４などを収納するホルダ本体にＩＣタグからの情報データを読み取って、この情報データを電波信号として増幅するためのデータ発信部となる図示しないＩＣチップと、特定方向にこの電波信号を発信するための時計部２１を兼ねたアンテナ部と、このＩＣチップを駆動させるための図示しない電源部などが必要に応じて設けられている。この電源部は時計部２１に収納した太陽電池やボタン電池などの電源と共用することもできる。
【００２５】
カードホルダ２０には、収納されたＩＣ情報カード２４の情報データを特定方向に増幅発信する機能を有するので、従来のようにＩＣタグを備えたカードを用いる場合に較べて、その通信可能範囲を大きく拡大して、その利便性を高めることができる利点を有している。
また、前記カードが液晶表示部を有した情報カードであって、前記リストバンドに前記カードホルダとともに装着された時計や携帯電話機に保持する情報データを前記液晶表示部に転送して表示させることも可能であり、これによって、時計や携帯電話機に保持する時刻データなどのデータをカードの液晶表示部上にいつでも大きく表示させることができ、その利用可能性をさらに広げることができる。
このような情報の転送表示機能は、例えば、時計や携帯電話機に保持された情報データを取得して、この情報データを液晶表示部に表示させるＩＣチップなどで構成された電子装置により実現することができる。この電子装置はオンオフスイッチを有した駆動用電源を備えており、前記カードの液晶表示部上に表示させる情報データをいつでも必要なときに明瞭に表示させることができる。
【産業上の利用可能性】
【００２６】
本考案は腕時計用ベルトなどのリストバンドに装着して用いられるカードホルダ適用される。このようなカードホルダは、クレジットカードなどのカードを安全かつ確実に保護した状態で身につけて、いつでもカードを利用することができ産業上の利用可能性が極めて高い。特に、非接触型の書き換え可能なＩＣタグを有したＩＣカードやクレジットカードなどを安全に保持することができるとともに、腕時計用ベルトに装着した場合には、ＩＣタグに保持した情報データの通信可能距離を延長してその利用可能性を高めたり、そのリストバンドに付与された時計機能などを有効に利用したりすることができる。
【図面の簡単な説明】
【００２７】
【図１】実施例１のカードホルダが装着されたリストバンドの斜視図である。
【図２】同カードホルダが装着されたリストバンドの側断面図である。
【図３】同カードホルダが装着されたリストバンドの平面図である。
【図４】同カードホルダ本体の変容例１の側断面図である。
【図５】同カードホルダ本体の変容例２の側断面図である。
【図６】同カードホルダ本体の変容例３の側断面図である。
【図７】実施例２のカードホルダが装着される腕時計バンドの斜視図である。
【図８】同カードホルダの使用状態の説明図である。
【符号の説明】
【００２８】
１０    実施例１のカードホルダ
１１    リストバンド
１２、１２ａ、１２ｂ、１２ｃ    ホルダ本体
１３、１３ａ    バンド係止部
１４、１４ｂ、１４ｃ    クレジットカード（カード）
１５、１５ｂ、１５ｃ    カード固定部
１５ｍ、１５ｎ    カード挿入溝
１６    カード係止ねじ
２０    実施例２のカードホルダ
２１    時計部
２２    腕時計用ベルト（リストバンド）
２３    開閉蓋
２４    ＩＣ情報カード（カード）
２５    カード固定部
【図１】
0003136888.tif 000003
【図２】
0003136888.tif 000004
【図３】
0003136888.tif 000005
【図４】
0003136888.tif 000006
【図５】
0003136888.tif 000007
【図６】
0003136888.tif 000008
【図７】
0003136888.tif 000009
【図８】
0003136888.tif 000010